(57)【要約】【課題】ガス絶縁開閉装置において短絡又は地絡などによる事故点を標定する方法として、分解ガス臭を探し出したり、分解生成物を検知管で検出したり、圧力センサを使用したりして検出していたが、外部から事故点をすばやく標定することは困難であった。【解決手段】ガス誘導部分に透明材料１１を使用し事故点標定部としてリトマス液塗布シート１２、球形置針装置１３又はラベル式温度計を設けたことにより、外部から事故発生箇所を目視で確認することができ、事故点標定時間の短縮を図ることができるようになった。【選択図】　　図１
2004120944.tif 000002
【特許請求の範囲】
【請求項１】
ガス絶縁開閉装置の事故点標定装置において、ガス誘導部分に透明材料を使用した事故点標定部を設けたことを特徴とするガス絶縁開閉装置の事故点標定装置。
【請求項２】
前記事故点標定部としてリトマス液塗布シートを設けたことを特徴とする請求項１記載のガス絶縁開閉装置の事故点標定装置。
【請求項３】
前記事故点標定部として球形置針装置を封入したことを特徴とする請求項１記載のガス絶縁開閉装置の事故点標定装置。
【請求項４】
前記事故点標定部としてラベル式温度計を設けたことを特徴とする請求項１記載のガス絶縁開閉装置の事故点標定装置。
【発明の詳細な説明】
【０００１】
【発明の属する技術分野】
本発明は、受変電設備などで使用されているガス絶縁開閉装置の主回路内部で発生する短絡又は地絡などの事故発生箇所を標定するための事故点標定装置に関する。
【０００２】
【従来の技術】
図４に示すようにＳＦ６ガス４１を封入したガス絶縁開閉装置は、第１ガス区分４５、第２ガス区分４６に仕切られており、両ガス区分４５、４６間には配管ボス４７を介して故障点標定装置４８が接続されている。いま、主回路導体４２にて短絡又は地絡事故４３が発生するとアーク電流４８が起きてしまう。ガス絶縁開閉装置の外部は金属タンク４４に覆われているため、事故発生箇所の特定が困難であった。
【０００３】
従来は、事故の箇所から発生する分解ガス臭を探し出したり、ＳＦ６ガス４１が熱分解によって発生する分解生成物を検知管で検出したり、ＳＦ６ガス４１が熱膨張によって圧力上昇する変化信号を圧力センサを使用して標定したりしていた。（例えば特許文献１参照）。
【０００４】
また、ガス絶縁開閉装置は、複数のガス区画間が絶縁スペーサで仕切られているが、各絶縁スペーサの外周に零相電流検出用光ファイバ変流器を設け、この変流器の出力を用いて事故点を標定する。（例えば特許文献２参照）。
【０００５】
【特許文献１】
特開平８−１８２１３２号公報
【特許文献２】
特開平８−１４９６３３号公報
【０００６】
【発明が解決しようとする課題】
上記いずれの従来の技術においても、肉眼で事故点を確認するためには、ガス封入箇所の開放などが必要となり、外部から事故点をすばやく見つけるには問題があった。
【０００７】
本発明は上記した従来の課題を解決するためになされたもので、機器やガス封入箇所を開放せずに目視で事故点を確認することができ、事故点の標定時間が短縮できるガス絶縁開閉装置の事故点標定装置を提供することを目的とする。
【０００８】
【課題を解決するための手段】
上記目的を達成するためになされた本発明に係わるガス絶縁開閉装置の事故点標定装置は、ガス誘導部分に透明材料を使用した事故点標定部を設けたことを要旨とする。
【０００９】
更に本発明に係わるガス絶縁開閉装置の事故点標定装置は、前記事故点標定部としてリトマス液塗布シートを設けたことを要旨とする。
【００１０】
更に本発明に係わるガス絶縁開閉装置の事故点標定装置は、前記事故点標定部として球形置針装置を封入したことを要旨とする。
【００１１】
更に本発明に係わるガス絶縁開閉装置の事故点標定装置は、前記事故点標定部としてラベル式温度計を設けたことを要旨とする。
【００１２】
【発明の実施の形態】
以下に本発明の実施形態を図を参照して説明する。なお、各図において図４にて説明したと同一の箇所は重複して説明は行わず、本発明の実施形態の説明に欠かせない箇所についてのみ示してある。
【００１３】
ガス絶縁開閉装置にて短絡または地絡を起こした場合、事故を起こした主回路導体間または主回路導体と金属タンク間にアーク電流が流れる。アーク電流によってＳＦ６ガスがアークで熱を帯びたり、アーク熱により膨張ガスや分解生成物が発生する。
【００１４】
そこで、本発明にあっては、ガス区分と隣接ガス区分を接続する配管やガス区分との接続部に透明材料を使用することで、分解生成物や短絡または地絡現象を外部から確認することを可能とし、事故発生時の迅速な対応が可能となる。具体的には透明材料部分に各種標定処置を施すことにより標定効率の向上が可能となる。以下に種々の実施例を図を参照して説明する。
【００１５】
図１を参照して第１実施例を説明する。ＳＦ６ガスは通常安定した分子構造で中性である。しかしながら、ガス絶縁開閉装置が地絡した場合には、地絡電流によるアーク熱によりＨＦ、ＳＯ２、ＳＯ４などの酸性分解生成物が発生する。ガス区分とガス区分を接続する配管または継手部分に透明材料１１を使用し、内面にリトマス液塗布シート１２を貼着する。地絡時の酸性分解生成物により、リトマス液塗布シート１２が赤色に変化することを外部から目視で確認し地絡発生箇所を標定することができる。
【００１６】
次に図２を参照して第２実施例を説明する。ガス絶縁開閉装置内部で地絡した場合、ＳＦ６ガスと地絡熱による分解生成物が発生するとともにアーク熱により内部ＳＦ６ガスが膨張し圧力上昇が発生する。そこで、ガス区分とガス区分を接続する配管または継手部分に透明材料１１を使用し、更に、内部に通気可能な球形置針装置１３を封入することで、地絡時の圧力により球形置針装置１３が図のＡ点からＢ点のように定位置から移動したことを外部から目視で確認することにより、地絡箇所を標定することができる。
【００１７】
次に図３を参照して第３実施例を説明する。ガス絶縁開閉装置内部で地絡した場合、ＳＦ６ガスと地絡アークによる分解生成物が発生するとともにアーク熱が発生し周囲に温度が伝播するガス区分とガス区分を接続する配管又は継手部分に透明材料１１を使用し、内面にラベル式温度計１４を封入することで、地絡箇所からのアーク熱を検出することができる。地絡事故の際、外部からラベル式温度計１４を目視で確認することにより地絡事故を標定することができる。
【００１８】
【発明の効果】
上述したように、事故発生箇所が機器やガス封入箇所を開放せず目視で確認することができ、事故点の標定時間が短縮することが可能となった。また、ガス絶縁開閉装置は電磁誘導作用により主回路導体と平行にシース電流が流れるガスタンクにはシース電流を流すためシャントバーの取り付けなどの処置を行っている。このシース電流がガスタンクに接続されたガス配管に分流し、不適合を起こさないようガス配管に絶縁処理が必要である。本発明に係わる標定装置の透明材料部分をプラスチックなどの絶縁物を使用することにより、絶縁継手の機能も備えた複合型事故点標定装置としての効果も認められる。
【図面の簡単な説明】
【図１】本発明の第１の実施例を示す断面図。
【図２】本発明の第２の実施例を示す断面図。
【図３】本発明の第３の実施例を示す断面図。
【図４】従来の技術を説明するための断面図。
【符号の説明】
１１…透明材料
１２…リトマス液塗布シート
１３…球形置針装置
１４…ラベル式温度計
【図１】
2004120944.tif 000003
【図２】
2004120944.tif 000004
【図３】
2004120944.tif 000005
【図４】
2004120944.tif 000006